(57)【要約】【課題】方立に簡単に取り付けでき且つ足場解体時には容易に撤去できる足場つなぎ具及び外壁を提供する。【解決手段】本発明にかかる足場つなぎ具９は、足場側ナット付固定ボルト１３と、方立側ナット付固定ボルト１５と、挟着具１７とを備え、足場側ナット付固定ボルト１３は、足場側に足場側ボルト１１と連結するナット部１９と方立側にボルト部２１を有し、方立側ナット付固定ボルト１５は、足場側ナット付固定ボルト１３のボルト部２１を連結するナット部２３と方立側にボルト部２５を有し、挟着具１７は、方立７の前壁７ａの見付面側に配置され方立の前壁見付面８ａに形成された突条６、６間で回り止めした表面側挟着具２７と、方立７の中空１２内に配置され前壁７ａの裏面側に固定ナット３７を有する裏面側挟着具２９からなり、表面側挟着具２７と裏面側挟着具２９は、方立側ナット付固定ボルト１５のボルト部２５を裏面側挟着具２９の固定ナット３７にねじ込むことで方立７の前壁７ａを挟着固定している。【選択図】図１
2018138731.tif 000002
【特許請求の範囲】
【請求項１】
足場側ナット付固定ボルトと、方立側ナット付固定ボルトと、挟着具とを備え、足場側ナット付固定ボルトは、足場側に足場側ボルトと連結するナット部と方立側にボルト部を有し、方立側ナット付固定ボルトは、足場側ナット付固定ボルトのボルト部を連結するナット部と方立側にボルト部を有し、挟着具は、方立の前壁見付面側に配置され方立の前壁見付面に形成された突条間で回り止めした表面側挟着具と、方立の中空内に配置され前壁裏面側に固定ナットを有する裏面側挟着具からなり、表面側挟着具と裏面側挟着具は、方立側ナット付固定ボルトのボルト部を裏面側挟着具の固定ナットにねじ込むことで方立の前壁を挟着固定していることを特徴とする足場つなぎ具。
【請求項２】
足場と方立を請求項１に記載の足場つなぎ具で連結したことを特徴とする外壁。
【発明の詳細な説明】
【技術分野】
【０００１】
本発明は、足場つなぎ具及び外壁に関する。
【背景技術】
【０００２】
特許文献１には、上下に配置した方立の中空内に挿入して上下の方立を連結するスリーブジョイントに、予め足場側ボルトの挿入孔を形成しておくと共に挿入孔に対応した位置に足場側ボルトが螺合するナットを溶接固定することが開示されている。
【先行技術文献】
【特許文献】
【０００３】
【特許文献１】特開２００３−３４３０８２号公報
【発明の概要】
【発明が解決しようとする課題】
【０００４】
しかし、特許文献１の技術では、足場側ボルトの取付け位置が限られていると共に、スリーブジョイントに予め孔をあけたり、ナットを溶接しておく必要があるので、足場側ボルトの取付けの為の作業が面倒になるという問題があった。  
これに対して、ビル等の施工現場において足場と方立を容易に連結でき、しかも足場解体時には容易に撤去できるものが求められていた。  
【０００５】
そこで、本発明は、方立に簡単に取り付けでき且つ足場解体時には容易に撤去できる足場つなぎ具及び外壁の提供を目的とする。  
【課題を解決するための手段】
【０００６】
請求項１に記載の発明は、足場側ナット付固定ボルトと、方立側ナット付固定ボルトと、挟着具とを備え、足場側ナット付固定ボルトは、足場側に足場側ボルトと連結するナット部と方立側にボルト部を有し、方立側ナット付固定ボルトは、足場側ナット付固定ボルトのボルト部を連結するナット部と方立側にボルト部を有し、挟着具は、方立の前壁見付面側に配置され方立の前壁見付面に形成された突条間で回り止めした表面側挟着具と、方立の中空内に配置され前壁裏面側に固定ナットを有する裏面側挟着具からなり、表面側挟着具と裏面側挟着具は、方立側ナット付固定ボルトのボルト部を裏面側挟着具の固定ナットにねじ込むことで方立の前壁を挟着固定していることを特徴とする足場つなぎ具である。
【０００７】
請求項２に記載の発明は、足場と方立を請求項１に記載の足場つなぎ具で連結したことを特徴とする外壁である。
【発明の効果】
【０００８】
請求項１及び２に記載の発明によれば、裏面側挟着具と表面側挟着具とで方立の前壁を挟んで、足場側から方立側ナット付固定ボルトのボルト部をねじ込むことで方立側ナット付固定ボルトを方立に取り付けでき、方立側ナット付固定ボルトのナット部に足場側ナット付固定ボルトのボルト部をねじ込むことで、足場側ナット付固定ボルトを取り付けできる。  
このように、足場つなぎ具は方立に簡単に取り付けできる。  
足場解体時には、足場側ボルト１１を足場側ナット付固定ボルトのナット部から外し、次に、足場側ナット付固定ボルトを方立側ナット付固定ボルトのナット部から外すだけで、容易に撤去できる。尚、方立側ナット付固定ボルト及び挟着具は方立に残るが、これらは無目に隠れるので、そのまま残す。  
【図面の簡単な説明】
【０００９】
【図１】本実施の形態にかかる足場つなぎ具を方立に取り付けた状態を示す図であり、図２（ａ）に示すＢ−Ｂ断面図である。
【図２】本実施の形態にかかる足場つなぎ具を方立に取り付けた状態を示す図であり、（ａ）は正面図、（ｂ）は（ａ）に示すＡ−Ａ断面図である。
【図３】裏面側挟着具の図であり、（ａ）は正面図、（ｂ）は（ａ）に示すＦ−Ｆ断面図、（ｃ）は（ａ）に示すＧ−Ｇ断面図である。
【図４】は表面側挟着具の図であり、（ａ）は正面図、（ｂ）は（ａ）に示すＭ−Ｍ断面図、（ｃ）は（ａ）に示すＮ−Ｎ断面図である。
【図５】方立側ナット付固定ボルトの図であり、（ａ）は側面図、（ｂ）は足場側から見た正面である。
【図６】足場側ナット付固定ボルトの図であり、（ａ）は側面図、（ｂ）は足場側から見た正面である。
【図７】表面側防水パッキンの図であり、（ａ）は正面図、（ｂ）は（ａ）に示すＰ−Ｐ断面図、（ｃ）は（ａ）に示すＱ−Ｑ断面図である。
【図８】ナット用防水パッキンの図であり、（ａ）は正面図、（ｂ）は（ａ）に示すＳ−Ｓ断面図である。
【図９】本実施の形態にかかる足場つなぎ具を方立に装着した状態を示す斜視図であり、図１０に示すＥ部の拡大図である。
【図１０】図１１に示す建物の方立と無目を抜き出して示す斜視図である。
【図１１】建物に足場を組んだ状態を示す図であり、（ａ）は正面図、（ｂ）は（ａ）に示すＢ−Ｂ断面図、（ｃ）は（ａ）に示すＣ−Ｃ断面図である。
【発明を実施するための形態】
【００１０】
以下に、添付図面を参照して本発明の実施の形態を説明する。
図１１に、建築中のカーテンウォール工法の建物１を示す。この建物１の周囲には、足場３が組んである。建物１には、その外壁５を構成する方立７に足場つなぎ具９（図９及び図１０参照）が固定してあり、足場つなぎ具９に足場３に固定した足場側ボルト１１を連結している。また、方立７には、その前側に無目１０及び押縁１６が固定されている。
本実施の形態では、足場つなぎ具９は、図１１（ｂ）（ｃ）及び図１０に示すように、建物１の各階の天井付近及びフロアー付近で所定の方立７に取り付けてある。  
【００１１】
図１及び図２に示すように、足場つなぎ具９は、足場側ナット付固定ボルト１３と、方立側ナット付固定ボルト１５と、挟着具１７とを備えている。  
図１及び図６に示すように、足場側ナット付固定ボルト１３は、足場側に足場側ボルト１１と連結するナット部１９と方立側にボルト部２１を有している。足場側ナット付固定ボルト１３では、ナット部１９にボルト部２１がねじ込んである。  
図１及び図５に示すように、方立側ナット付固定ボルト１５は、足場側ナット付固定ボルト１３のボルト部２１を連結するナット部２３と方立側にボルト部２５を有している。方立側ナット付固定ボルト１５では、ナット部２３にボルト部２５がねじ込んである。尚、図５において、二点鎖線で示すのはナット用防水パッキン（図８参照）４９である。  
【００１２】
図１及び図２に示すように、挟着具１７は、表面側挟着具２７と、裏面側挟着具２９とを備えている。  
表面側挟着具２７は、方立７の前壁７ａの見付面８ａ側で、方立７の前壁７ａの見付面８ａに形成された突条６、６間に配置されている。  
図４に示すように、表面側挟着具２７は、正面視長方形の板状プレートであり、方立側ナット付固定ボルト１３のボルト部２５を挿通するボルト挿通孔３３が形成されている。ボルト挿通孔３３を挟む上下方向の両側に固定ねじ３１のねじ挿通孔３５が形成されている。尚、図４（ｂ）において、二点鎖線で示すのは表面側防水パッキン（図７参照）４７である。  
【００１３】
図１及び図２に示すように、裏面側挟着具２９は、方立７の中空１２内に配置され前壁７ａの裏面８ｂに配置されている。図１に示すように、裏面側挟着具２９は足場側から止める固定ねじ３１で方立７の前壁７ａの裏面８ｂに取り付けてある。  
図２及び図３に示すように、裏面側挟着具２９には、方立７の前壁７ａの裏面８ｂに重ねて配置する正面視四角形状の前側壁３９と、前側壁３９の上側から足場側と反対方向に突設する上壁４１と、前側壁３９の下側から足場側と反対方向に突設する下壁４２とが形成されている。  
図１及び図２に示すように、前側壁３９、上壁４１及び下壁４２は方立７の左右の側壁７ｂ、７ｂ間に亘って設けている。  
前側壁３９には、上壁４１と下壁４２との間に方立側ナット付固定ボルト１５のボルト部２５を挿通するボルト挿通孔４３が形成されている。ボルト挿通孔４３の上下には固定ねじ３１が螺合するねじ孔４５が形成されている。前側壁３９において、上壁４１と下壁４２との間で、ボルト挿通孔４３に対応した位置には固定ナット３７が溶接してある。固定ナット３７には、方立側ナット付固定ボルト１５のボルト部２５が足場側からねじ込まれており、表面側挟着具２７と裏面側挟着具２９は、方立側ナット付固定ボルト１５のナット部２３と固定ナット３７との間で、方立７の前壁７ａを挟着固定している。  
【００１４】
次に、足場つなぎ具９の取り付けについて説明する。  
まず、方立７の前壁７ａには、裏面側挟着具２９に形成してあるボルト挿通孔４３及びねじ孔４５に対応する挿通孔を形成する。  
図１に示すように、方立７の中空１２内に裏面側挟着具２９を配置して、前壁７ａの裏面８ｂに裏面側挟着具２９の前側壁３９を当て、前壁７ａの前壁見付面８ａに突設する突条６、６間に表面側パッキン４７を付けた表面側挟着具２７を配置し、前壁７ａの足場側から固定ねじ３１を表面側挟着具２７のねじ挿通孔３５及び方立７の前壁７ａの挿通孔に挿通し、裏面側挟着具２９のねじ孔４５に螺合して止める。このようにして、表面側挟着具２７と裏面側挟着具２９とを方立７の前壁７ａに固定する。  
その後、方立側ナット付固定ボルト１５のナット部２３の方立側面にナット用パッキン４９を取り付け、方立側ナット付固定ボルト１５のボルト部２５を表面側挟着具２７のボルト挿通孔３３、方立７の前壁７ａの挿通孔、裏面側挟着具２９のボルト挿通孔４３に通して固定ナット３７にねじ込む。  
方立側ナット付固定ボルト１５のボルト部２５を裏面側挟着具２９の固定ナット３７にねじ込むことで方立７の前壁７ａを、表面側挟着具２７と裏面側挟着具２９とで挟着固定する。  
次に、足場側ナット付固定ボルト１３のボルト部２１を方立側ナット付固定ボルト１５のナット部２３にねじ込む。  
これにより、足場つなぎ具９の取り付けが完了する。  
一方、足場側ボルト１１の取付けは、図１に示すように、足場側ナット付固定ボルト１３のナット部１９に足場側ボルト１１をねじ込んで取り付ける。  
【００１５】
足場３を解体するときには、足場側ナット付固定ボルト１３のナット部１９にねじ込んだ足場側ボルト１１をナット部１９から外す。  
足場つなぎ具９の撤去は、足場側ナット付固定ボルト１３のボルト部２１を方立側ナット付固定ボルト１５のナット部２３から外す。  
このように、足場側ナット付固定ボルト１３を外すことで、方立７には、方立側ナット付固定ボルト１５及び挟着具１７は残るが、これらは無目１０に隠れて正面側から見えないので、足場側ナット付固定ボルト１３を外すだけで、足場つなぎ具９の撤去は完了する。  
【００１６】
次に、足場つなぎ具９の作用効果を説明する。  
図１及び図２に示すように、本実施の形態にかかる足場つなぎ具９よれば、裏面側挟着具２９と表面側挟着具２７とで方立７の前壁７ａを挟んで、足場側から方立側ナット付固定ボルト１５のボルト部２５を固定ナット３７にねじ込むことで、方立側ナット付固定ボルト１５を方立に取り付けでき、方立側ナット付固定ボルト１５のナット部２３に足場側ナット付固定ボルト１３のボルト部１９をねじ込むことで、足場側ナット付固定ボルト１３を取り付けできる。このように、足場つなぎ具９は方立７に簡単に取り付けできる。  
足場解体時には、足場側ナット付固定ボルト１３を外すだけであるから、容易に撤去できる。  
【００１７】
表面側挟着具２７は、方立７の突条６、６間に設けているので回り止めできる。  
裏面側挟着具２９は、方立７の左右の側壁７ｂ、７ｂ間に亘って設けているので、方立側ナット付固定ボルト１５のボルト部２５を固定ナット３７にねじ込むときに、回り止めとしての役割を果たすことができる。  
方立７の形状に合わせた挟着具１７を用意することで、様々な方立７と足場の連結に対応可能である。例えば、表面側挟着具２７は方立７の突条６、６間の寸法に合わせ、裏面側挟着具２９も方立７の中空１２の左右寸法に合わせたサイズを変えるだけで様々な方立７に用いることが可能である。  
足場解体時に撤去した足場側ナット付固定ボルト１３は、使い回しが可能である。
【００１８】
本発明は、上述した実施の形態に限らず、本発明の要旨を逸脱しない範囲で種々変形可能である。  
表面側挟着具２７や裏面側挟着具２９は、方立７の前壁７ａにねじで固定することに限らず、接着剤で固定しても良い。  
【符号の説明】
【００１９】
３    足場
５    外壁
６    突条
７    方立
７ａ  前壁
９    足場つなぎ具
１１  足場側ボルト
１３  足場側ナット付固定ボルト
１５  方立側ナット付固定ボルト
１７  挟着具
１９  ナット部（足場側ナット付固定ボルト）
２１  ボルト部（足場側ナット付固定ボルト）
２３  ナット部（方立側ナット付固定ボルト）
２５  ボルト部（方立側ナット付固定ボルト）
２７  表面側挟着具
２９  裏面側挟着具
３７  固定ナット
【図１】
2018138731.tif 000003
【図２】
2018138731.tif 000004
【図３】
2018138731.tif 000005
【図４】
2018138731.tif 000006
【図５】
2018138731.tif 000007
【図６】
2018138731.tif 000008
【図７】
2018138731.tif 000009
【図８】
2018138731.tif 000010
【図９】
2018138731.tif 000011
【図１０】
2018138731.tif 000012
【図１１】
2018138731.tif 000013